(57)【要約】      （修正有）【課題】荷物が少ないときは胴部を格納することにより、ハンドバッグやショルダーバッグとしてコンパクトに使用できるとともに、荷物が多いときには、胴部を展開し、さらに状況に応じてリバーシブルバッグとして多機能に使用可能なバッグを提供する。【解決手段】胴部１と当該胴部の左右に設けられた各収納部２０、３０とから大略構成されるバッグ１であって、胴部１と各収納部２０、３０との境には、バッグ１の全周に渡って設けられた胴部格納ファスナーを有し、当該ファスナーの務歯２ａ、２ｂがそれぞれ形成されていること、及び胴部１と各収納部２０、３０とを区画する隔壁がそれぞれ形成されていて、各隔壁の間に胴部１を格納可能にするとともに、胴部１が格納されているときであっても、各収納部２０、３０によってハンドバッグ又はショルダーバッグとして使用可能である。【選択図】図６
2020018654.tif 000002
【特許請求の範囲】
【請求項１】
胴部と当該胴部の左右に設けられた各収納部とから大略構成されるバッグであって、前記胴部と前記各収納部との境には、前記各収納部を全周に渡って連結する胴部格納ファスナーを有し、当該ファスナーの務歯がそれぞれ形成されていること、及び前記胴部と前記各収納部とを区画する隔壁がそれぞれ形成されていること、
を特徴とするバッグ。
【請求項２】
胴部と当該胴部の左右に設けられた各収納部とから大略構成されるバッグであって、前記胴部と各収納部との境には、前記各収納部を全周に渡って連結する胴部格納ファスナーを有し、当該ファスナーの務歯がそれぞれ形成されていること、及び前記胴部と前記各収納部とを区画する隔壁がそれぞれ形成されていて、当該各隔壁の間に前記胴部を格納可能にするとともに、前記胴部が格納されているときであっても、前記各収納部によってハンドバッグ又はショルダーバッグとして使用可能であること、
を特徴とするバッグ。
【請求項３】
前記各収納部にはポケットがそれぞれ形成されていること、
を特徴とする請求項１又は２に記載のバッグ。
【請求項４】
前記各収納部の上部には持手がそれぞれ取り付けられていること、
を特徴とする請求項１から３までのいずれか１項に記載のバッグ。
【請求項５】
前記胴部格納ファスナーのスライダーは脱着可能であること、
を特徴とする請求項１から４までのいずれか１項に記載のバッグ。
【請求項６】
前記収納部の内部には折り畳み可能な底板を備えていること、
を特徴とする請求項１から５までのいずれか１項に記載のバッグ。
【請求項７】
前記胴部の内側の生地には防水加工がされていること、
を特徴とする請求項１から６までのいずれか１項に記載のバッグ。
【請求項８】
前記胴部は底部と上部とから構成され、前記底部と上部とのつなぎ目は、バッグの高さ方向略中央に位置していること、
を特徴とする請求項１から７までのいずれか１項に記載のバッグ。
【請求項９】
前記胴部の上部内側の前後の生地にはバックルを備えたテープがそれぞれ取り付けられ、当該テープはバックを裏返した際に持手や肩掛け用のテープとなり、前記各バックルを互い違いに接続しテープを交差させて使用できるようにしたこと、
を特徴とする請求項１から８までのいずれか１項に記載のバッグ。
【請求項１０】
前記各隔壁の上部にはＤカンが１つずつ取り付けられていること、
を特徴とする請求項１から９までのいずれか１項に記載のバッグ。
【請求項１１】
前記バッグは裏返すことにより、前記各隔壁がバッグの左右の側面となるとともに、前記各収納部はバッグの内部で物を収納可能にしたこと、
を特徴とする請求項１から１０までのいずれか１項に記載のバッグ。
【発明の詳細な説明】
【技術分野】
【０００１】
本発明は、胴部を有するバッグに関し、より具体的には、胴部が格納可能で、胴部格納時においても使用することができるバッグに関する。
【背景技術】
【０００２】
例えば、ボストンバックと呼ばれるような胴部を有するバックは、収納力が高く、様々な用途で用いられている。しかしながら、胴部に収納するほどの荷物がない場合には、コンパクト化できれば持ち運び易く便利である。
【０００３】
この点、非使用時において折りたたみ可能なボストンバッグが種々販売されている（例えば非特許文献１参照）。しかしながら、この種のバッグは、袋の中にバッグごと収納することを目的としており、胴部だけを収納した状態でバッグを使用できるものとしたものではない。
【０００４】
また、非使用時には胴部だけを収納して持ち運びを便利にするものとして、例えば、特許文献１の保冷用バッグが提案されている。しかしながら、特許文献１において、胴部を収納した状態では、バッグとして使用できる機能を有しない。
【先行技術文献】
【特許文献】
【０００５】
【非特許文献１】ポケッタブルボストンバッグ、[online]、２０１８年３月２３日、Amazon、[平成３０年７月２５日検索]、インターネット〈URL: https://www.amazon.co.jp/Ludus-Felix-%E3%83%9D%E3%82%B1%E3%83%83%E3%82%BF%E3%83%96%E3%83%AB%E3%83%9C%E3%82%B9%E3%83%88%E3%83%B3%E3%83%90%E3%83%83%E3%82%B0/dp/B07CKJJ4MP/ref=pd_lpo_vtph_bs_img_1?_encoding=UTF8&refRID=9DCS0ZNHRH729XN0YET0〉
【０００６】
【特許文献１】特開２０１７−７４９４９号公報。
【発明の概要】
【発明が解決しようとする課題】
【０００７】
本発明の目的は、胴部が格納できるとともに、胴部の格納時及び展開時においてもバリエーションの異なるバックとして使用することのできる多機能なバッグを提供することにある。
【課題を解決するための手段】
【０００８】
上記目的を達成するため、本発明に係るバッグの第１の特徴は、胴部と当該胴部の左右に設けられた各収納部とから大略構成されるバッグであって、前記胴部と前記各収納部との境には、前記各収納部を全周に渡って連結する胴部格納ファスナーを有し、当該ファスナーの務歯がそれぞれ形成されていること、及び前記胴部と前記各収納部とを区画する隔壁がそれぞれ形成されていることにある。
【０００９】
また、本発明に係るバッグの第２の特徴は、胴部と当該胴部の左右に設けられた各収納部とから大略構成されるバッグであって、前記胴部と各収納部との境には、前記各収納部を全周に渡って連結する胴部格納ファスナーを有し、当該ファスナーの務歯がそれぞれ形成されていること、及び前記胴部と前記各収納部とを区画する隔壁がそれぞれ形成されていて、当該各隔壁の間に前記胴部を格納可能にするとともに、前記胴部が格納されているときであっても、前記各収納部によってハンドバッグ又はショルダーバッグとして使用可能であることにある。
【００１０】
さらに、本発明に係るバッグの第３の特徴は、前記第１又は第２の特徴における前記各収納部にポケットがそれぞれ形成されていることにある。
【００１１】
さらにまた、本発明に係るバッグの第４の特徴は、前記第１から第３までのいずれかの特徴における前記各収納部の上部に持手がそれぞれ取り付けられていることにある。
【００１２】
また、本発明に係るバッグの第５の特徴は、前記第１から第４までのいずれかの特徴における前記胴部格納ファスナーのスライダーが脱着可能であることにある。
【００１３】
さらに、本発明に係るバッグの第６の特徴は、前記第１から第５までのいずれかの特徴における前記収納部の内部に折り畳み可能な底板を備えていることにある。
【００１４】
また、本発明に係るバッグの第７の特徴は、前記第１から第６までのいずれかの特徴における前記胴部の内側の生地に防水加工がされていることにある。
【００１５】
さらに、本発明に係るバッグの第８の特徴は、前記第１から第７までのいずれかの特徴における前記胴部が底部と上部とから構成され、前記底部と上部とのつなぎ目は、バッグの高さ方向略中央に位置していることにある。
【００１６】
さらにまた、本発明に係るバッグの第９の特徴は、前記第１から第８までのいずれかの特徴における前記胴部の上部内側の前後の生地にバックルを備えたテープがそれぞれ取り付けられ、当該テープはバックを裏返した際に持手や肩掛け用のテープとなり、前記各バックルを互い違いに接続しテープを交差させて使用できるようにしたことにある。
【００１７】
また、本発明に係るバッグの第１０の特徴は、前記第１から第９までのいずれかの特徴における前記各隔壁の上部にＤカンが１つずつ取り付けられていることにある。
【００１８】
さらに、本発明に係るバッグの第１１の特徴は、前記第１から第１０までのいずれかの特徴における前記バッグを裏返すことにより、前記各隔壁がバッグの左右の側面となるとともに、前記各収納部はバッグの内部で物を収納可能にしたことにある。
【発明の効果】
【００１９】
本発明によれば、荷物が少ないときは胴部を格納することにより、ハンドバッグやショルダーバッグとしてコンパクトに使用できるとともに、荷物が多いときには、胴部を展開し、さらに状況に応じてリバーシブルバッグとして多機能に使用することが可能である。
【図面の簡単な説明】
【００２０】
【図１】バッグが胴部を収納した状態を示す斜視図である。
【図２】バッグの左側面図である。
【図３】バッグの右側面図である。
【図４】バッグが胴部を収納した状態を示す正面図である。
【図５】バッグが胴部を収納した状態を示す背面図である。
【図６】バッグが胴部を伸ばしている状態を示した斜視図である。
【図７】バッグが胴部を伸ばしている状態を示した正面図である。
【図８】バッグが胴部を伸ばしている状態を示した平面図である。
【図９】バッグが胴部を伸ばしている状態を示した底面図である。
【図１０】図６におけるバッグを裏返して使用する状態を示した斜視図である。
【図１１】図１０におけるバックの正面図である。
【図１２】図１０におけるバックの平面図である。
【図１３】図１０におけるバックの底面図である。
【図１４】左右収納部の隔壁を示したものであり、図１０におけるバックの左右の側面図である。
【図１５】バッグが胴部を伸ばしている状態のときに使用する底板である。
【発明を実施するための最良の形態】
【００２１】
以下、図面を参照して、本発明の最良の実施形態を実施例ごとに詳細に説明する。
【実施例１】
【００２２】
図１から５は、実施例１を示したもので、胴部１を格納した状態のバッグＡを示した図である。２はファスナーであって、歯務２ａ及び２ｂと、それらに咬合するスライダー２ｃとから構成される。歯務２ａと歯務２ｂは、胴部１の左端及び右端の表面に、胴部１の略全周にわたってそれぞれ形成されており、スライダー２ｃは歯務２ａ及び２ｂと脱着可能である。
【００２３】
ファスナー２は、左右収納部２０、３０の間に胴部１を格納して、左右収納部２０と３０とを係着し、手提げ又はショルダーバッグとしてバッグＡを機能させるものである。胴部１の格納時には、これらの歯務２ａと歯務２ｂとがスライダー２ｃをスライドさせることにより互いに連結し、図１のような状態になる。
【００２４】
また、左収納部２０は胴部１の左端と、右収納部３０は胴部１の右端とそれぞれ連設して形成されているとともに、胴部１と左収納部２０及び右収納部３０との間には左隔壁２１及び右隔壁３１がそれぞれ設けられていて、左右収納部２０、３０と胴部１とは左右隔壁２１、３１とで隔てられ別スペースになるように形成されている。隔壁２１、３１の素材は各収納部２０、３０又は胴部１と同じ生地であっても、板状のものであってもよい。図１の状態では、胴部１は左隔壁２１と右隔壁３１との間に格納されている。
【００２５】
さらに、左収納部２０の頂部開口部にはファスナー２２が、右収納部３０の頂部開口部にはファスナー３２がそれぞれ設けられていて、スライダー２３、３３をそれぞれスライドさせることにより開口部を開閉できるようになっており、左右収納部２０、３０にそれぞれ物を収納し、又はそこから取り出せるようになっている。また、図６にあるように、右収納部３０には、胴部１を展開（伸長）したときに、胴部１の底芯として使用する底板３が収納されている。底板３は左右収納部２０に収納できるよう、折りたたみできるものが望ましい。なお、底板３は左収納部２０に収納してもよい。図４及び図５は、左右収納部２０、３０の横マチをそれぞれ示している。
【００２６】
左収納部２０の前部には別の収納スペースとしてポケット２４が、右収納部３０の前部にはポケット３４がそれぞれ形成されている。図示の例では、ポケット２４には開口部にファスナー２５が形成され、ポケット２４の開口部の開閉を行う。一方で、ポケット３４の開口部３５にはファスナーは設けられておらず、常に開口した状態にあるか、又はポケット３４の内側上方に面ファスナー等を設け、ポケット３４内の物が飛び出さないようにしてもよい。
【００２７】
また、左右収納部２０、３０の上部にはそれぞれ持手２６、３６が取り付けられていて、胴部１を収納した際に持手２６、３６を持つことによりバッグＡを手提げバッグとして利用することができる。
【００２８】
図にあるように左右収納部２０、３０の正面及び背面の上部には、Ｄカン２７、３７が設けられており、ナスカンを備えた長めのテープ５を掛けることにより、胴部１の格納時に、バッグＡをショルダーバッグとして使用することができる。また、スライダー２ｃは脱着式であるので、スライダー２ｃを取り外すことで、美感にも優れている。
【実施例２】
【００２９】
図６から９は、実施例２を示したもので、バッグＡの胴部１が展開（伸長）している状態を示した図である。図６にあるように、ファスナー２のスライダー２ｃをスライドさせ、左右収納部２０及び３０の係着を解除することにより、胴部１を展開させ、バッグＡをボストンバッグのような容量のあるバッグとして使用することができる。
【００３０】
胴部１の頂部中央には、左右収納部２０、３０に渡って長手方向に沿ってファスナー４が形成されており、スライダー４ｃをスライドさせることにより、胴部１の頂部での開閉を可能にしている。また、ファスナー４を挟んでその前後にはそれぞれハンドルが６、７備えられており、バッグＡを手で持つことも可能である。さらに、持手２６、３６を持つことにより、バッグＡの両手抱え持ちが可能である。加えて、Ｄカン２７、３７に長めのテープ５を掛けることにより、肩がけをすることができる。
【００３１】
実施例２の状態で、胴部１の内側の生地には、防水加工が施されている。防水加工は、例えば気密性の高い生地素材を使用したり、生地に水を通さないフィルムを接着したり、防水性素材がコーティングされた生地を使用したり等、その方法は問わないが、生地は収納時の体積や重量の観点から１枚のもので構成するのが望ましく、その点では防水性素材を生地にコーティングするのが好適であり、本実施例ではこれを採用している。
【実施例３】
【００３２】
図１０から１４は、実施例３を示したもので、実施例２の状態から生地を裏返してバックＡを使用する状態を示したものである。この状態では、前記したように、表面の生地が防水加工されていることになるため、雨のときでもバッグＡの中は濡れにくくなる。また、１枚の生地で表裏使用できるので、収納時の体積と重量を軽減可能である。ここで、バッグＡの左側面部は左隔壁２１、右側面部は右隔壁３１であり、上部中央にはＤカン２８、３８が取り付けられていて、テープ５のナスカンを掛けることによりバッグＡを肩がけすることができる。
【００３３】
胴部１は底部８と上部９とから大略構成されており、胴部底部８と胴部上部９とのつなぎ目１０は、底面から比較的高い位置に形成されるのが望ましく、図示の例ではバッグの高さ方向略中央部に位置している。これにより、床が濡れている場合でもつなぎ目１０よりバッグＡ内部へ漏水することが防止される。また、胴部１前後にはつなぎ目１０から胴部上部９にテープ１１、１２が取り付けられており、バッグＡを持ったり、肩にかけたりすることができる。
【００３４】
テープ１１、１２は、それぞれバックル１３、１３を備えており、テープの長さの調整やテープの接続の組み合わせを変えることができ、バッグＡをさまざまなバリエーションで使用することが可能となる。例えば、テープの長さを調整することにより、リックとして使用したり、テープ１１と１２のバックル１３、１３を交互に接続することにより、テープ１１と１２を交差させ、ボディバッグ（ワンショルダー）としても使用することができる。また、バッグＡを床に置けない環境下においても、バックル１３、１３によってテープ１１、１２を一度分離し再度接続することで、ポールなどに通して引っ掛けたり、吊り下げたりすることが可能となる。
【００３５】
また、図６の状態のバッグＡを裏返すことにより左右収納部２０、３０が胴部１内部に存在することになり、それらに私物を収納することにより衛生上又は防犯上も優れている。
【００３６】
以上、本発明の実施例につき詳細に説明したが、本発明はこれらに限定されることなく、特許請求の範囲に記載した構成の範囲内で様々な態様で実施することができる。例えば、テープ１１、１２及びバックル１３、１３は実施例３の代わりに実施例２で備えることとしてもよい。
【符号の説明】
【００３７】
Ａ        バッグ
１        胴部
２        ファスナー
３        底板
２０      左収納部
２１      左隔壁
３０      右収納部
３１      右隔壁
【図１】
2020018654.tif 000003
【図２】
2020018654.tif 000004
【図３】
2020018654.tif 000005
【図４】
2020018654.tif 000006
【図５】
2020018654.tif 000007
【図６】
2020018654.tif 000008
【図７】
2020018654.tif 000009
【図８】
2020018654.tif 000010
【図９】
2020018654.tif 000011
【図１０】
2020018654.tif 000012
【図１１】
2020018654.tif 000013
【図１２】
2020018654.tif 000014
【図１３】
2020018654.tif 000015
【図１４】
2020018654.tif 000016
【図１５】
2020018654.tif 000017